(57)【要約】【課題】停電が発生していない状態では、商用電源から得られる直流を制御回路の電源に用い、停電時には乾電池をバックアップ電源として用いるガスコンロにおいて、停電から復電した場合にも、乾電池が、商用電源から得られる直流によって充電されることがなく、乾電池の交換頻度の低いガスコンロを提供する。【解決手段】（ａ）バックアップ電源３４から直流電源３１への電流の通流を阻止する逆流防止部３５を備え、直流電源の出力が逆流防止部の入力に接続され、逆流防止部の出力から制御回路３２に直流電力が供給され、（ｂ）バックアップ電源の出力と逆流防止部の出力との間に、駆動部５１により、導通状態と解放状態とを切り替えるスイッチング素子５０を備え、（ｃ）駆動部が、直流電源の出力電圧が所定の導通電圧未満のときにスイッチング素子を導通状態とし、直流電源の出力電圧が所定の開放電圧以上のときにスイッチング素子を開放状態とする。【選択図】図１
2017133719.tif 000002
【特許請求の範囲】
【請求項１】
コンロバーナと、商用電源から得られる直流電源を電源とし、前記コンロバーナを制御する制御回路と、乾電池から前記制御回路に電力を供給するバックアップ電源とを備えたガスコンロにおいて、
（ａ）前記バックアップ電源から前記直流電源への電流の通流を阻止する逆流防止部を備え、前記直流電源の出力が前記逆流防止部の入力に接続され、前記逆流防止部の出力から前記制御回路に直流電力が供給されるように構成されているとともに、
（ｂ）前記バックアップ電源の出力と前記逆流防止部の出力との間に、駆動部により、導通状態と解放状態とを切り替えるスイッチング素子を備え、
（ｃ）前記駆動部は、前記直流電源の出力電圧が所定の導通電圧未満のときに前記スイッチング素子を導通状態とし、前記直流電源の出力電圧が所定の開放電圧以上のときに前記スイッチング素子を開放状態とするように構成されていること
を特徴とするガスコンロ。
【請求項２】
前記スイッチング素子として、リードスイッチが用いられており、かつ、
前記リードスイッチに対してバイアス磁界を発生する磁石と、通電によって前記バイアス磁界を打ち消すコイルとを備え、
前記永久磁石および前記コイルが前記駆動部を構成していること
を特徴とする請求項１記載のガスコンロ。
【発明の詳細な説明】
【技術分野】
【０００１】
本発明は、ガスコンロに関し、詳しくは、商用電源から得られる直流電源を電源とするコンロバーナの制御回路と、商用電源が停電した場合に、乾電池から制御回路に電力を供給するバックアップ電源を備えたガスコンロに関する。
【背景技術】
【０００２】
近年、ガス調理器には、使用時の安全性、良好な操作性、自動調理機能などを備えていることが要求されており、これらを可能にするための制御回路を備えたガスコンロが広く提供されるに至っている。
そして、ガス調理器の制御回路や自動調理時の機器の駆動電源として、乾電池を使用するガスコンロが知られている。
【０００３】
この種のガスコンロとして、例えば特許文献１に開示されているように、単一乾電池２個を直列接続して電源に用いるようにしたものが広く普及している。
【０００４】
そして、単一乾電池２個を直列接続して電源に用いる場合、機器の使用により電池が消耗したときに電池交換の目安となる出力電圧、すなわち、消耗した単一乾電池２個を直列接続した状態での出力電圧（終止電圧）は、２．１Ｖ程度であることが望ましい。これは、電源電圧２Ｖ程度で使用できる集積回路（制御回路）が広く普及していることによる。
【０００５】
ところで、ガスコンロの制御回路の電源として乾電池を用いる場合、制御回路の消費電力を抑制することで電池の交換頻度を少なくすることが可能になるが、一般的には１年に１回程度の電池交換が必要である。
【０００６】
一方、電池交換を不要にするためにＡＣ１００Ｖの商用電源を用いるようにすればよいが、この場合、停電時には制御回路が使用できず、ガスコンロを使用することができなくなるという問題がある。
【０００７】
ここで、図５に示すように、停電が発生していない状態では、商用電源１０１のＡＣ１００Ｖを用いた直流電源（ＤＣ電源回路）１０３からの、例えば電圧３Ｖの直流を制御回路１０２の電源として用い、停電時には、乾電池１０４を電源（バックアップ電源）として用いるように構成することが考えられる。
【０００８】
このように構成した場合、停電が発生していない通常時は、商用電源１０１のＡＣ１００Ｖから得られる直流電源（ＤＣ電源回路）１０３からの直流により制御回路１０２が駆動され、停電時には、バックアップ電源としての乾電池１０４が、商用電源１０１に代わるバックアップ電源として用いられることになる。
【０００９】
日本国内における停電の発生頻度は低く、乾電池１０４がＡＣ１００Ｖから得られる直流に代わるバックアップ電源として用いられる頻度は低いため、上記構成とした場合、バックアップ電源として用いられる乾電池１０４の消耗は低く抑えられる。
【００１０】
その結果、ＡＣ１００Ｖから得られる直流を制御回路の電源として用いずに、乾電池のみを制御回路の電源として用いる場合と比較して、その電池の交換頻度を極めて低く抑えることが可能になり、使い勝手のよいガスコンロを提供することが可能になる。
【００１１】
しかしながら、停電時に、バックアップ電源として乾電池１０４を用いているときに、停電が解消して復電した場合には、バックアップ電源として用いられている乾電池１０４が、商用電源１０１のＡＣ１００Ｖから得られる直流電源（ＤＣ電源回路）１０３からの直流によって充電され、ガスの発生や液漏れ、場合によっては破裂などを引き起こすおそれがある。
【００１２】
これに対し、図６に示すように、バックアップ電源１０３の出力にシリコンダイオードなどの逆流防止ダイオード１０５を挿入しておくことが考えられる。このように構成した場合、停電時に、バックアップ電源として乾電池１０４を用いているときに、停電が解消して復電した場合にも、バックアップ電源として用いられている乾電池１０４が、商用電源（ＡＣ１００Ｖ）１０１から得られる直流によって充電されてしまうことを防止することが可能になる。
【００１３】
しかし、バックアップ電源の出力に、逆流防止ダイオードを挿入するようにした場合、逆流防止ダイオードに順方向に電流が流れた時の順電圧降下によって、制御回路に供給される直流電圧が低下することになる。
そして、逆流防止ダイオードとしてシリコンダイオードを用いた場合、一般的なシリコンダイオードの順電圧降下は０．５Ｖ〜０．７Ｖ程度であることから、バックアップ電源としての乾電池３を２本直列に接続したときの出力電圧より０．５Ｖ〜０．７Ｖ程度低い電圧が、制御回路に供給されることになる。  
【００１４】
ところで、例えばバックアップ電源として乾電池を２本直列で使用する場合を想定した場合、バックアップ電源の定格電圧は３．０Ｖであり、また、バックアップ電源に用いられる乾電池を２本直列に接続した場合の終止電圧は２．１Ｖ程度とすることが適当であることを考えると、上述の０．５Ｖ〜０．７Ｖの順電圧降下は決して小さい値ではなく、バックアップ電源としての乾電池の使用可能な時間を短くする要因となっている。
【先行技術文献】
【特許文献】
【００１５】
【特許文献１】特開２００８−１６１８５号公報
【発明の概要】
【発明が解決しようとする課題】
【００１６】
本発明は、上記の課題を解決するものであり、停電が発生していない状態では、商用電源から得られる直流を制御回路の電源に用いるようにして、バックアップ電源としての電池の交換頻度を極めて低く抑えることが可能で、かつ使い勝手が良好で、しかも、停電時にバックアップ電源として乾電池を用いているときに停電が解消して復電した場合にも、乾電池が、商用電源から得られる直流によって充電されることがなく、電池から制御回路に至る間における電圧降下を抑制することで、バックアップ電源としての電池の使用可能な時間を長くすることが可能なガスコンロを提供することを目的とする。
【課題を解決するための手段】
【００１７】
上記の目的を達成するために、本発明のガスコンロは、
コンロバーナと、商用電源から得られる直流電源を電源とし、前記コンロバーナを制御する制御回路と、乾電池から前記制御回路に電力を供給するバックアップ電源とを備えたガスコンロにおいて、
（ａ）前記バックアップ電源から前記直流電源への電流の通流を阻止する逆流防止部を備え、前記直流電源の出力が前記逆流防止部の入力に接続され、前記逆流防止部の出力から前記制御回路に直流電力が供給されるように構成されているとともに、
（ｂ）前記バックアップ電源の出力と前記逆流防止部の出力との間に、駆動部により、導通状態と解放状態とを切り替えるスイッチング素子を備え、
（ｃ）前記駆動部は、前記直流電源の出力電圧が所定の導通電圧未満のときに前記スイッチング素子を導通状態とし、前記直流電源の出力電圧が所定の開放電圧以上のときに前記スイッチング素子を開放状態とするように構成されていること
を特徴としている。
【００１８】
また、本発明のガスコンロにおいては、
前記スイッチング素子として、リードスイッチが用いられており、かつ、
前記リードスイッチに対してバイアス磁界を発生する磁石と、通電によって前記バイアス磁界を打ち消すコイルとを備え、
前記永久磁石および前記コイルが前記駆動部を構成していることが好ましい。
【発明の効果】
【００１９】
本発明のガスコンロは、上述のように構成されており、（ａ）バックアップ電源から直流電源への電流の通流を阻止する逆流防止部を備え、直流電源の出力がこの逆流防止部の入力に接続され、逆流防止部の出力から制御回路に直流電力が供給されるように構成され、（ｂ）バックアップ電源の出力と逆流防止部の出力との間に、駆動部により、導通状態と解放状態とを切り替えるスイッチング素子を備え、（ｃ）駆動部が、直流電源の出力電圧が所定の導通電圧未満のときにスイッチング素子を導通状態とし、直流電源の出力電圧が所定の開放電圧以上のときにスイッチング素子を開放状態とするようにしているので、停電時にバックアップ電源として乾電池を用いているときに停電が解消して復電した場合にも、乾電池が、商用電源から得られる直流によって充電されることがなく、電池から制御回路に至る間における電圧降下を抑制することで、バックアップ電源としての電池の使用可能な時間を長くすることが可能になる。
【００２０】
すなわち、本発明のガスコンロによれば、停電が発生していない状態では、商用電源から得られる直流を制御回路の電源に用いるようにして電池交換頻度をできるだけ低く抑え、しかも、停電時に、バックアップ電源として乾電池を用いているときに、停電が解消して復電した場合にも、バックアップ電源として用いられている乾電池が、商用電源（例えばＡＣ１００Ｖ）から得られる直流によって充電されないようにすることが可能になる。さらに、バックアップ電源から制御回路に至る間における電圧降下を抑制することができるため、バックアップ電源としての乾電池の使用可能時間が短くなることをできるだけ抑制した、使い勝手のよいガスコンロを提供することが可能になる。
【００２１】
また、リードスイッチをスイッチング素子として用い、リードスイッチに対してバイアス磁界を発生する永久磁石と、通電によってバイアス磁界を打ち消すコイルとで、上記駆動部を構成するようにした場合、駆動部を、複雑な構成や、高価な機器を用いることなく構成することが可能になり、本発明をより実効あらしめることができる。
【図面の簡単な説明】
【００２２】
【図１】本発明の実施形態にかかるガスコンロの制御回路への電源供給系統を示す回路図である。
【図２】本発明の実施形態にかかるガスコンロの斜視図である。
【図３】本発明の実施形態にかかるガスコンロにおいて、スイッチング素子としてリードスイッチを用いた場合の駆動部の構成を示す図であって、スイッチング素子が導通状態にある場合を示す図である。
【図４】本発明の実施形態にかかるガスコンロにおいて、スイッチング素子としてリードスイッチを用いた場合の駆動部の構成を示す図であって、スイッチング素子が開放状態にある場合を示す図である。
【図５】従来のガスコンロにおいて想定される制御回路への電源供給系統を示す回路図である。
【図６】従来のガスコンロにおいて想定される、さらに他の制御回路への電源供給系統を示す回路図である。
【発明を実施するための形態】
【００２３】
以下、本発明の実施形態を示して、その特徴とするところをさらに詳しく説明する。
【００２４】
［実施形態］
この実施形態にかかるガスコンロ１は、図２に示すように、ガスコンロ本体１０の天面部を構成するトッププレート３０と、トッププレート３０に配置された、２つのコンロバーナ２１，２２を有するコンロ部２ａと、グリル２ｂとを備えたガステーブルコンロである。
【００２５】
このガスコンロ１は、上述のコンロバーナ２１，２２を制御する制御回路３２を備えている。
この制御回路３２は、商用電源（ＡＣ１００Ｖ）３１から得られる直流電源（ＤＣ電源回路）３３による直流（例えば３．５Ｖ）を電源としている（図１参照）。
【００２６】
そして、コンロ本体１０の前面を構成する前面パネル１２には、左側のコンロバーナ２１用の点消火ボタン４１（４１ａ）、右側のコンロバーナ２２用の点消火ボタン４１（４１ｂ）、グリルバーナ用の点消火ボタン４１（４１ｃ）が配設されている。また、前面パネル１２には電池収容部４２が配設されている。
【００２７】
また、このガスコンロ１は、商用電源（ＡＣ１００Ｖ）３１が停電した場合のバックアップ電源３４を備え、バックアップ電源３４は、電池ケース（図示せず）に装填された乾電池１４ａ，１４ｂから制御回路３２に電力を供給するように構成されている（図１参照）。
【００２８】
なお、この実施形態では、バックアップ電源３４は、２個の１．５Ｖの乾電池を、電池ケース内で直列に接続することにより構成されている。
【００２９】
この実施形態のガスコンロ１においては、直流電源３３の出力が逆流防止部（シリコンダイオード）３５の入力（アノード）に接続され、逆流防止部（シリコンダイオード）３５の出力（カソード）から制御回路３２に、制御回路３２の電源としての直流電力が供給されるように構成されている。
【００３０】
また、上述のバックアップ電源３４の出力と逆流防止部（シリコンダイオード）３５の出力（カソード）との間に、スイッチング素子５０を備えている。
【００３１】
そして、この実施形態のガスコンロ１は、スイッチング素子５０を駆動するための駆動部５１を備えており、駆動部５１は、直流電源３３の出力電圧が所定の導通電圧（例えば、０．２Ｖ）未満のときにスイッチング素子５０を導通状態とし、直流電源３３の出力電圧が所定の開放電圧（例えば１．６Ｖ）以上のときにスイッチング素子５０を開放状態とするように構成されている。
【００３２】
この実施形態にかかるガスコンロ１は、上述のように構成されていることから、停電が発生していない状態では、直流電源３３の出力電圧が所定の開放電圧（例えば１．６Ｖ）以上となって、スイッチング素子５０が開放状態となり、バックアップ電源３４から制御回路３２への電源供給が遮断され、商用電源（ＡＣ１００Ｖ）３１から得られる直流が制御回路３２の電源に用いられる。したがって、バックアップ電源３４用の電池の交換頻度を極めて低く抑えることが可能になり、使い勝手を向上させることができる。
【００３３】
また、商用電源（ＡＣ１００Ｖ）３１が停電した場合は、直流電源３３の出力電圧が所定の導通電圧（例えば、０．２Ｖ）未満となりスイッチング素子５０が導通状態となって、バックアップ電源３４から制御回路３２の電源が供給されるので、停電状態でも、ガスコンロ１を使用することができる。
【００３４】
しかも、停電時に、バックアップ電源３４として乾電池を用いているときに、停電が解消して復電した場合にも、スイッチング素子５０が開放状態となるので、バックアップ電源３４として用いられている乾電池が、商用電源（ＡＣ１００Ｖ）３１から得られる直流によって充電されることがない。したがって、バックアップ電源３４として用いられている乾電池が、商用電源（ＡＣ１００Ｖ）３１から得られる直流によって充電されることによる乾電池内部の圧力上昇による乾電池の液漏れの発生を防止することができる。
【００３５】
さらに、バックアップ電源３４から制御回路３２に至る間における電圧降下が抑制されることで、バックアップ電源３４として用いられている乾電池の使用可能な時間が短くなることを確実に抑制することができる。
【００３６】
なお、スイッチング素子５０としては、一般に市販されている１ｂ（１ブレーク）接点タイプのリレーの接点などを用いることが可能であるが、この実施形態にかかるガスコンロにおいては、リードスイッチ６０がスイッチング素子５０として用いられている。
【００３７】
以下に、リードスイッチ６０をスイッチング素子５０として用いたときの駆動部５１の構成、および、動作について説明を行う。
【００３８】
駆動部５１としてのリードスイッチ６０は、周知のように、強磁性体からなる一対のリード６１ａ，６１ｂが間隙を持って相対するようにガラス管６２の中に封入されている（図３、図４参照）。
【００３９】
そして、バイアス磁界を発生する永久磁石６３が、リードスイッチ６０に沿って配置されている。
【００４０】
また、通電によってバイアス磁界を打ち消すためのコイル６４が、リードスイッチ６０に沿って配置されている。
【００４１】
そして、直流電源３３の出力電圧が所定の導通電圧（例えば、０．２Ｖ）未満のときには、図３に示すように、永久磁石６３によるバイアス磁界によって、一対のリード６１ａ，６１ｂにＮ極とＳ極が誘起されることで一対のリード６１ａ，６１ｂ間に吸引力が発生し、一対のリード６１ａ，６１ｂが当接して、リードスイッチ６０が導通状態となる。
【００４２】
一方、直流電源３３の出力電圧が所定の開放電圧（例えば１．６Ｖ）以上になると、直流電源３３からコイル６４に駆動電流が通電され、この駆動電流の通電によりコイル６４が発生する磁界によって、永久磁石６３によるバイアス磁界が打ち消され、コイル６４への通電がない状態において一対のリード６１ａ，６１ｂに誘起されたＮ極とＳ極により一対のリード６１ａ，６１ｂ間に発生した吸引力が減少または消滅し、リード６１ａ，６１ｂの弾性により一対のリード６１ａ，６１ｂが復旧してリードスイッチ６０が開放状態となる（図４）。
【００４３】
上述のように、リードスイッチ６０をスイッチング素子として用い、リードスイッチ６０に対してバイアス磁界を発生する永久磁石６３と、通電によってバイアス磁界を打ち消すコイル６４とで、駆動部５１を構成するようにした場合、駆動部５１を、複雑な構成や、高価な機器を用いることなく構成することが可能になる。
【００４４】
ただし、駆動部５１は上述のような構成に限られるものではなく、駆動部５１を、リレーの接点をスイッチング素子とし、直流電源の出力電圧に応じて適宜このリレーの接点を導通状態と解放状態とに切り替える駆動部とするように構成してもよい。
【００４５】
本発明は、さらにその他の点においても上記実施形態に限定されるものではなく、本発明の範囲内において種々の変形を加えることが可能である。
【符号の説明】
【００４６】
１          ガスコンロ
２ａ        コンロ部
２ｂ        グリル部
１０        ガスコンロ本体
１２        前面パネル
２１，２２  コンロバーナ
３０        トッププレート
３１        商用電源（ＡＣ１００Ｖ）
３２        制御回路
３３        直流電源（ＤＣ電源回路）
３４        バックアップ電源
３５        逆流防止部
４１（４１ａ，４１ｂ，４１ｃ）    点消火ボタン
５０        スイッチング素子
５１        駆動部
６０        リードスイッチ
６１ａ，６１ｂ    一対のリード
６２        ガラス管
６３        永久磁石
６４        コイル
【図１】
2017133719.tif 000003
【図２】
2017133719.tif 000004
【図３】
2017133719.tif 000005
【図４】
2017133719.tif 000006
【図５】
2017133719.tif 000007
【図６】
2017133719.tif 000008